(57)【要約】【課題】本発明は、実像式ファインダおよびカメラに関し、簡易な構造で視差と視度の双方を同時に補正する。【解決手段】光路に沿って視野枠２０４よりも対物レンズ３０１側に、その対物レンズ３０１を経由して前方から入射した光束Ｃ１を側方に折り返す第１の反射面と、第１の反射面で側方に折り返された光束を前方に折り返す第２の反射面２０２ｃと、第２の反射面２０２ｃで前方に折り返された光束を上方に折り返す第３の反射面２０２ｄとを有するとともに、光路に沿って視野枠２０４よりも接眼レンズ２０３ｃ側に、第３の反射面２０２ｄで上方に折り返えされた光束を後方に折り返す第４の反射面２０３ｂを有し、視野枠２０４を残したまま２つの光学ブロック２０２，２０３を一体的に移動させる。【選択図】        図５
2006276141.tif 000002
【特許請求の範囲】
【請求項１】
対物光学系と、
前記対物光学系を経由して入射した光束の上下左右を反転する反転光学系と、
前記対物光学系の結像面にほぼ一致した位置に設けられた視野枠と、
前記結像面上の像および前記視野枠を観察するための接眼光学系と、
前記対物レンズと前記視野枠との間の光路長を調整する調整機構とを備え、
前記反転光学系が、光路に沿って前記視野枠よりも前記対物光学系側に、該対物光学系を経由して前方から入射した光束を側方に折り返す第１の反射面と、該第１の反射面で側方に折り返された光束を前方に折り返す第２の反射面と、該第２の反射面で前方に折り返された光束を上方に折り返す第３の反射面とを有するとともに、光路に沿って前記視野枠よりも前記接眼光学系側に、前記第３の反射面で上方に折り返えされた光束を後方に折り返す第４の反射面を有し、
前記調整機構は、前記視野枠を残したまま前記反転光学系および前記接眼光学系を一体的に移動させることにより前記対物レンズと前記視野枠との光路長を調整するものであることを特徴とする実像式ファインダ。
【請求項２】
前記第１、第２、および第３の反射面が、１つの第１の光学ブロックに形成されるとともに、前記第４の反射面、および前記接眼光学系としての凸面が、１つの第２の光学ブロックに形成されてなることを特徴とする請求項１記載の実像式ファインダ。
【請求項３】
対物光学系と、
前記対物光学系を経由して入射した光束の上下左右を反転する反転光学系と、
前記対物光学系の結像面にほぼ一致した位置に設けられた視野枠と、
前記結像面上の像および前記視野枠を観察するための接眼光学系と、
前記対物レンズと前記視野枠との間の光路長を調整する調整機構とを備え、
前記反転光学系が、光路に沿って前記視野枠よりも前記対物光学系側に、該対物光学系を経由して前方から入射した光束を下方に折り返す第１の反射面を有するとともに、光路に沿って前記視野枠よりも前記接眼光学系側に、前記第１の反射面で下方に折り返された光束を側方に折り返す第２の反射面と、該第２の反射面で側方に折り返された光束を上方に折り返す第３の反射面と、該第３の反射面で上方に折り返された光束を後方に折り返す第４の反射面とを有し、
前記調整機構は、前記第１の反射面を移動させることにより前記対物レンズと前記視野枠との間の光路長を調整するものであることを特徴とする実像式ファインダ。
【請求項４】
前記第２、第３、および第４の反射面、および前記接眼光学系としての凸部が、１つの光学ブロックに形成されてなることを特徴とする請求項３記載の実像式ファインダ。
【請求項５】
撮影光学系を経由して入射してきた被写体光を捉えることにより撮影を行なうカメラにおいて、
対物光学系と、
前記対物光学系を経由して入射した光束の上下左右を反転する反転光学系と、
前記対物光学系の結像面にほぼ一致した位置に設けられた視野枠と、
前記結像面上の像および前記視野枠を観察するための接眼光学系と、
前記対物レンズと前記視野枠との間の光路長を調整する調整機構とを備え、
前記反転光学系が、光路に沿って前記視野枠よりも前記対物光学系側に、該対物光学系を経由して前方から入射した光束を側方に折り返す第１の反射面と、該第１の反射面で側方に折り返された光束を前方に折り返す第２の反射面と、該第２の反射面で前方に折り返された光束を上方に折り返す第３の反射面とを有するとともに、光路に沿って前記視野枠よりも前記接眼光学系側に、前記第３の反射面で上方に折り返えされた光束を後方に折り返す第４の反射面を有し、
前記調整機構は、前記視野枠を残したまま前記反転光学系および前記接眼光学系を一体的に移動させることにより前記対物レンズと前記視野枠との光路長を調整するものである実像式ファインダを備えたことを特徴とするカメラ。
【請求項６】
撮影光学系を経由して入射してきた被写体光を捉えることにより撮影を行なうカメラにおいて、
対物光学系と、
前記対物光学系を経由して入射した光束の上下左右を反転する反転光学系と、
前記対物光学系の結像面にほぼ一致した位置に設けられた視野枠と、
前記結像面上の像および前記視野枠を観察するための接眼光学系と、
前記対物レンズと前記視野枠との間の光路長を調整する調整機構とを備え、
前記反転光学系が、光路に沿って前記視野枠よりも前記対物光学系側に、該対物光学系を経由して前方から入射した光束を下方に折り返す第１の反射面を有するとともに、光路に沿って前記視野枠よりも前記接眼光学系側に、前記第１の反射面で下方に折り返された光束を側方に折り返す第２の反射面と、該第２の反射面で側方に折り返された光束を上方に折り返す第３の反射面と、該第３の反射面で上方に折り返された光束を後方に折り返す第４の反射面とを有し、
前記調整機構は、前記第１の反射面を移動させることにより前記対物レンズと前記視野枠との間の光路長を調整するものである実像式ファインダを備えたことを特徴とするカメラ。
【発明の詳細な説明】
【技術分野】
【０００１】
本発明は、実像式ファインダおよびカメラに関する。
【背景技術】
【０００２】
従来より銀塩フィルム上に写真撮影を行なう方式のカメラや、近年急速に普及しつつある、ＣＣＤ撮像素子等の撮像素子上に被写体像を結像して画像信号を生成するデジタルカメラにおいても、光学式の実像ファインダが多用されている。
【０００３】
実像式ファインダは、一般的に、対物レンズと、その対物レンズを経由して入射した光束の上下左右を反転する反転光学部材と、対物レンズの結像面上の像を観察するための接眼レンズとを有し、通常は、対物レンズの結像面上に視野枠を設け、接眼レンズでは、その結像面上の像と視野枠との双方を重ねて観察するように構成されている。例えば、特許文献１には、反転光学部材と接眼レンズがプリズムとして一体に形成された実像式ファインダが開示されている。
【０００４】
近年のカメラには、撮影レンズとして高倍率のズームレンズが搭載され、また、近距離被写体撮影用にマクロモードを有しているカメラも多い。
【０００５】
このようなカメラには、撮影レンズが高倍率のズームレンズであることから実像式ファインダにおいても視野調整のために対物レンズとしてズームレンズが搭載されており、さらに、通常の撮影モードとマクロモードでの切替えに伴って視度調整が必要なるため視度調整機構が備えられる。この視度調整機構は、通常、その実像式ファインダの接眼レンズをその光軸方向に移動させて対物レンズの結像面と接眼レンズとの間の光学的な距離を調整する機構である。
【０００６】
また、マクロモードにおいては、被写体は近距離に存在し撮影レンズと実像式ファインダとの間の視差が大きく、対策を講じないとその実像式ファインダの視野と撮影レンズの視野が大きくずれ、ファインダの視野とは大きくずれた画像が撮影されてしまうことになるため、この視差を補正する必要がある。視差を補正する技術としては従来様々な技術が提案されている（特許文献１，２，３参照）。
【０００７】
しかし、これらの特許文献１，２，３に開示された技術は視差補正のみ行なうものであり、視度補正を合わせて行なおうとすると、視差補正のための操作あるいは駆動とは別に視度補正のための操作を行なうように構成することとなり、機構が複雑化し、操作も煩雑であるという問題がある。
【０００８】
通常モードとマクロモードとの切替え操作という１つの操作（１回の動き）で視度と視差との双方を調整する技術も提案されている（特許文献４参照。）。
【０００９】
しかしながら、この特許文献４に開示された技術は、視差補正と視度補正とでそれぞれ異なる反射面の移動方向を合成して動かす必要があり高い精度が要求され、その分、コスト高や大型化につながるという問題がある。
【特許文献１】特開平８−３３４８１０号公報
【特許文献２】特開平９−１１３９６０号公報
【特許文献３】特開平１０−９６９８１号公報
【特許文献４】特開平３−２５４２３号公報
【発明の開示】
【発明が解決しようとする課題】
【００１０】
本発明は、上記事情に鑑み、簡易な構造で視差と視度との双方が同時に補正される実像式ファインダおよびその実像式ファインダを備えたカメラを提供することを目的とする。
【課題を解決するための手段】
【００１１】
上記目的を達成する本発明の実像式ファインダのうちの第１の実像式ファインダは、
対物光学系と、
対物光学系を経由して入射した光束の上下左右を反転する反転光学系と、
対物光学系の結像面にほぼ一致した位置に設けられた視野枠と、
結像面上の像および視野枠を観察するための接眼光学系と、
対物レンズと視野枠との間の光路長を調整する調整機構とを備え、
上記反転光学系が、光路に沿って視野枠よりも対物光学系側に、その対物光学系を経由して前方から入射した光束を側方に折り返す第１の反射面と、第１の反射面で側方に折り返された光束を前方に折り返す第２の反射面と、第２の反射面で前方に折り返された光束を上方に折り返す第３の反射面とを有するとともに、光路に沿って視野枠よりも接眼光学系側に、第３の反射面で上方に折り返えされた光束を後方に折り返す第４の反射面を有し、
上記調整機構は、視野枠を残したまま反転光学系および接眼光学系を一体的に移動させることにより対物レンズと視野枠との光路長を調整するものであることを特徴とする。
【００１２】
本発明の第１の実像式ファインダは、上記調整機構による調整により、視差と視度との双方を同時に調整することができ、しかもこれを実現するに当り、従来と同程度の簡易な構造で済む。
【００１３】
ここで、上記第１の実像式ファインダにおいて、上記第１、第２、および第３の反射面が、１つの第１の光学ブロックに形成されるとともに、上記第４の反射面、および接眼光学系としての凸面が、１つの第２の光学ブロックに形成されてなることが好ましい。
【００１４】
このような２つの光学ブロックを構成することにより部品点数の一層の削減と上記調整機構による高精度な調整を図ることができる。
【００１５】
また、上記目的を達成する本発明の実像式ファインダのうちの第２の実像式ファインダは、
対物光学系と、
対物光学系を経由して入射した光束の上下左右を反転する反転光学系と、
対物光学系の結像面にほぼ一致した位置に設けられた視野枠と、
結像面上の像および視野枠を観察するための接眼光学系と、
対物レンズと視野枠との間の光路長を調整する調整機構とを備え、
上記反転光学系が、光路に沿って視野枠よりも対物光学系側に、その対物光学系を経由して前方から入射した光束を下方に折り返す第１の反射面を有するとともに、光路に沿って視野枠よりも接眼光学系側に、第１の反射面で下方に折り返された光束を側方に折り返す第２の反射面と、第２の反射面で側方に折り返された光束を上方に折り返す第３の反射面と、第３の反射面で上方に折り返された光束を後方に折り返す第４の反射面とを有し、
上記調整機構は、上記第１の反射面を移動させることにより対物レンズと視野枠との間の光路長を調整するものであることを特徴とする。
【００１６】
本発明の第２の実像式ファインダも、上記の第１の実像式ファインダと同様、従来と同程度の構造の簡易性を保ちつつ視差と視度との双方を同時に調整することができる。
【００１７】
ここで、上記第２の実像式ファインダにおいて、上記第２、第３、および第４の反射面、および上記接眼光学系としての凸部が１つの光学ブロックに形成されてなることが好ましい。
【００１８】
このような光学ブロックで構成することにより部品点数の一層の削減と高精度化が図られる。
【００１９】
また、上記目的を達成する本発明のカメラのうちの第１のカメラは、撮影光学系を経由して入射してきた被写体光を捉えることにより撮影を行なうカメラであって、
対物光学系と、
対物光学系を経由して入射した光束の上下左右を反転する反転光学系と、
対物光学系の結像面にほぼ一致した位置に設けられた視野枠と、
結像面上の像および視野枠を観察するための接眼光学系と、
対物レンズと視野枠との間の光路長を調整する調整機構とを備え、
上記反転光学系が、光路に沿って視野枠よりも対物光学系側に、その対物光学系を経由して前方から入射した光束を側方に折り返す第１の反射面と、第１の反射面で側方に折り返された光束を前方に折り返す第２の反射面と、第２の反射面で前方に折り返された光束を上方に折り返す第３の反射面とを有するとともに、光路に沿って視野枠よりも接眼光学系側に、第３の反射面で上方に折り返えされた光束を後方に折り返す第４の反射面を有し、
上記調整機構は、視野枠を残したまま反転光学系および接眼光学系を一体的に移動させることにより対物レンズと視野枠との光路長を調整するものである実像式ファインダを備えたことを特徴とする。
【００２０】
さらに、上記目的を達成する本発明のカメラのうちの第２のカメラは、撮影光学系を経由して入射してきた被写体光を捉えることにより撮影を行なうカメラであって、
対物光学系と、
対物光学系を経由して入射した光束の上下左右を反転する反転光学系と、
対物光学系の結像面にほぼ一致した位置に設けられた視野枠と、
結像面上の像および視野枠を観察するための接眼光学系と、
対物レンズと視野枠との間の光路長を調整する調整機構とを備え、
上記反転光学系が、光路に沿って視野枠よりも対物光学系側に、その対物光学系側に、その対物光学系を経由して前方から入射した光束を下方に折り返す第１の反射面を有するとともに、光路に沿って視野枠よりも接眼光学系側に、第１の反射面で下方に折り返された光束を側方に折り返す第２の反射面と、第２の反射面で側方に折り返された光束を上方に折り返す第３の反射面と、第３の反射面で上方に折り返された光束を後方に折り返す第４の反射面とを有し、
上記調整機構は、上記第１の反射面を移動させることにより対物レンズと視野枠との間の光路長を調整するものである実像式ファインダを備えたことを特徴とする。
【発明の効果】
【００２１】
以上、説明したとおり、本発明によれば、簡易な構造で視差と視度との双方を同時に補正することができる。
【発明を実施するための最良の形態】
【００２２】
以下図面を参照して本発明の実施の形態を説明する。
【００２３】
図１は、本発明の一実施形態である実像式ファインダが組み込まれたカメラの外観を示す斜視図である。
【００２４】
図１に示すように、カメラ１のカメラボディ１ａの中央部にレンズ鏡胴１１が備えられており、そのレンズ鏡胴１１の上方には測光窓１２やＡＦ窓１３やファインダ窓１０１Ｅが配備されている。さらにそのファインダ窓１０１Ｅの横には閃光発光窓１４が設けられ、またカメラボディ１ａの上面にはレリーズ釦１５が設けられている。さらに背面側にはファインダ１０１のファインダ接眼部１０１Ａがカメラボディ１ａから突出するようにして設けられている。
【００２５】
このカメラ１は、焦点距離可変な撮影レンズ１１１を鏡胴１１内に備え、その鏡胴１１の伸縮により焦点距離が変更され、その焦点距離に応じた倍率で撮影が行われるものである。またこの撮影レンズ１１１は焦点距離可変であるとともに通常撮影モードとマクロ撮影モードとに切換え可能となっている。
【００２６】
図２は、図１のカメラの背面を示す図である。
【００２７】
焦点距離の変更を指示するズームスイッチ１７がカメラ背面側に設けられており、
このズームスイッチ１７から所定の距離を置いてカメラボディ１ａから突出したファインダ接眼部１０１Ａが設けられている。またこのファインダ接眼部１０１Ａはファインダ接眼窓１０１Ｂを有しており、そのファインダ窓１０１Ｂを撮影者が覗くことにより被写体が視認される。このカメラが有するファインダは、後述する形態の視度および視差補正機能付きの実像式ズームファインダ１０１であり、そのファインダ接眼部１０１Ａの、ズームスイッチ１７側の側面に通常撮影モード／マクロ撮影モード切替用の回転式のダイヤル１９を備えている。そのズームスイッチ１７は、ファインダ接眼部１０１Ａとの間に所定の間隔を置いた位置にカメラ背面から突出して設けられており、回転式のダイヤル１９は、カメラ背面から突出した先端面とカメラ背面との間に設けられている。したがって、ファインダ接眼部１０１Ａを覗いて撮影を行なおうとしているときに、不用意にダイヤル１９に触れてそのダイヤルを回転させてしまうといった事態が引き起こされ難い。
【００２８】
また、ズームスイッチ１７はファインダ接眼窓１０１Ｂを覗きながら右手で自在に操作することができるように、カメラ背面を見たときのファインダ接眼部１０１Ａの右に位置するところに設けられている。
【００２９】
また、ファインダ接眼部１０１Ａには、レリーズ釦が半押しされたときにピントがあっているかどうかを撮影者に通知する発光体１０１Ｄが設けられている。レリーズ釦が半押しされるとカメラ内部の測距装置により測距が行われて点灯（測距ＯＫ）あるいは点滅（測距ＮＧ）によりピントがあっているかどうかが撮影者に通知される。
【００３０】
このほか、このカメラの背面には、画像を表示する表示画面１６および電源をオン、オフするための電源スイッチ１８やその他の各種操作ボタン等が配備されている。
【００３１】
このカメラ１を用いて撮影を行なうにあたっては、先ず電源スイッチ１８を操作してこのカメラ１に電源を投入する。すると撮影レンズを通って被写体光が内部のＣＣＤ撮像素子（図示せず）で撮像されて表示画面１６上に被写体像が表示される。このカメラ１では被写体像を表示画面１６上に表示することに代えて、あるいは、被写体像を表示画面１６上に表示するとともに、ファインダ接眼窓１０１Ｂを覗くことによっても被写体を観察することができる。これは、表示画面１６上に表示される被写体はＣＣＤ撮像素子で撮像されさらに所定の画像処理を経た後の画像信号に基づく被写体像であるため時間遅れがあり、正確なシャッタチャンスをつかむには光学式ファインダの方が優れており、また周囲が明るい環境下では表示画面１６が見にくいということもあり、このカメラ１には光学式ファインダが備えられている。
【００３２】
表示画面１６上の被写体像を観察しながら、あるいはファインダ接眼窓１０１Ｂを覗いて被写体を観察しながら所望の画角が得られたときにレリーズ釦１５を押すと、そのレリーズ釦１５を押したタイミングでＣＣＤ撮像素子で得られた、その被写体を表わす画像信号が図示しない記録メディアに記録される。
【００３３】
以下では、図１、図２に示すカメラに組み込まれた実像式ファインダについて説明する。尚、ここで説明する実像式ファインダはズームファインダであるが、ズームレンズ構成の対物レンズやそのズーミングのやり方等（撮影レンズのズーミングとの連動の構成等）は本発明の特徴部分ではなく、かつ広く知られているため、ここでは対物レンズ側の構成の説明は省略し、ここでは接眼レンズ側の構成について説明する。
【００３４】
図３は、図１、図２に示すカメラに搭載された実像式ファインダの接眼部構造を示す斜視図、図４は、その実像式ファインダを構成する２つの光学ブロックの構造を示す図、図５はその実像式ファインダの側面図である。
【００３５】
この実像式ファインダ１０１の接眼部２０１には、図４（Ｂ）に示す形状の第１の光学ブロック２０２と、図４（Ａ）に示す形状の第２の光学ブロック２０３と、図３、図４に示す視野枠２０４が備えられている。
【００３６】
図３に示すように、第１の光学ブロック２０２には、ガイド棒４０１が貫通したカム部材４０３と、ガイド棒４０２を挟むフォーク状の支持部材４０４が備えられており、また、２つの光学ブロック２０２，２０３は図５に示すように互いに一体となるように嵌合し、図３に示す２本のガイド棒４０１，４０２に支持されてそれらのガイド棒４０１，４０２の延びる方向に移動自在となっている。
【００３７】
また視野枠２０４は、図５に示す、互いに嵌合した２つの光学ブロック２０３に挟まれた位置であって、第１の光学ブロック２０２に接した位置（対物レンズ３０１（図５参照）の結像面）に配置され、ファインダ１０１の筐体（図示せず）あるいはカメラボディに、その筐体あるいはカメラボディに対し移動不能に取り付けられている。
【００３８】
ここで、カム部材４０３は、図２に示す回転式のダイヤル１９とカム係合しており、そのダイヤル１９を回すことにより、互いに嵌合した２つの光学ブロック２０２，２０３が、通常撮影モード側に回わすと図３，図５に示す矢印Ａの∞側に移動し、マクロ撮影モード側に回わすと図３，図５に示す矢印Ａの至近側に移動する。この移動により視差と視度の双方が補正される。
【００３９】
図５に示す対物レンズ３０１を経由して接眼部２０１側に前方から入射してきた光束Ｃ１は、図４（Ｂ）に示すように、第１の光学ブロック２０２にその入射面２０２ａから入射して第１の反射面２０２ｂで側方に折り返され、第２の反射面２０２ｃで前方に折り返され、さらに第３の反射面２０２ｄで上方に折り返され、対物レンズ３０１の結像面である出射面２０２ｅから出射する。
【００４０】
この出射面２０２ｅには図５に示すように視野枠２０４が配置されており、その視野枠２０４を通過して上方に進んだ光束は今度は、図４（Ａ）に示す第２の光学ブロック２０３に、その入射面２０３ａから入射し第４の反射面２０３ｂで後方に折り返され、その第２の光学ブロック２０３の出射面に形成された、接眼レンズとして作用する凸面２０３ｃから出射する。
【００４１】
ここで、今、通常撮影モードにある状態において、回転式のダイヤル１９（図２参照）をマクロ撮影モード側に回わすと、そのダイヤル１９と図３のカム部材４０３とのカム係合により、２つの光学ブロック２０２，２０３が一体的に、図５に示す矢印Ａの至近側に移動する。すると、図５に示す、対物レンズ３０１と光学ブロック２０２の入射面２０２ａとの間の距離ａが大きくなり視野に対する視度は（＋）にシフトする。このとき、光路に沿った２つの光学ブロック間の距離ｂは一定なので視野枠２０４に対する視度は変化しない。
【００４２】
このような動きを行なわない場合、マクロ撮影モードでは視野に対する視度は（−）にシフトするので、ここでは、光学ブロック２０２，２０３を移動させることにより視野に対する視度を（＋）にシフトさせ、相殺させて視野に対する視度が変化しないようにする。
【００４３】
このように、通常撮影モードからマクロ撮影モードに切り替えたときに２つの光学ブロック２０２，２０３を矢印Ａの至近側に動かすことにより、視野に対する視度が補正される。
【００４４】
図６は、図５と同じ実像式ファインダに、光軸から外れた光束の通り道を示した図である。
【００４５】
ここには対物レンズ３０１に上方から入射してきた光束と下方から入射してきた光束が示されている。ここでは、２つの光学ブロック２０２，２０３は通常撮影モードにおける位置にあるものとする。ここに示す、上方から入射してきた光束は、視野枠２０４の、矢印Ａの至近側の境界を通過し、下方から入射してきた光束は矢印Ａの∞側の境界を通過する。
【００４６】
図７は、２つの光学ブロック２０２，２０３が通常撮影モードにおける位置にあるときの、無限遠点（∞）の被写体からの、各光束の視野枠の通過点（図７（Ａ））と、それら２つの光学ブロック２０２，２０３がマクロ撮影モードにおける位置に移動したときの各光束の視野枠の通過点（図７（Ｂ））を示した図である。
【００４７】
ダイヤル１９を回すことによりマクロ撮影モードに切り替えると、２つの光学ブロック２０２，２０３が図５の矢印Ａの至近側に移動する。このとき、視野枠２０４を置きざりにしたまま移動するため、視野枠２０４は光学ブロック２０２，２０３に対しては相対的に矢印Ａの∞側に移動することになる。この結果、図７（Ｂ）に示す至近時（マクロ撮影モードのときの基準被写体距離）は、図７（Ａ）に示す∞時（通常撮影モードのときの基準被写体距離）よりもさらに下側の光束が通過し、一方、図７（Ａ）のときの上側の光束は遮られることになる。これはすなわち、マクロ撮影モードのときはファインダがより下側を見ることになり、図１に示すようにファインダは撮影レンズの上方に置かされているため、それらの間の視差が補正されることになる。
【００４８】
図８は、この視差の補正を模式的に示した図である。
【００４９】
至近距離にある被写体を通常撮影モードで見るとファインダの視野（視野枠）は撮影レンズの視野（写る範囲）よりも上方を見ているが、マクロ撮影モードに切り替えて２つの光学ブロック２０２，２０３を矢印Ａの至近側に移動させると、ファインダの視野（視野枠）が下方に移動し、撮影レンズの視野（写る範囲）とほぼ一致する。
【００５０】
このように、図３〜図５に示す構成の実像式ファインダによれば、構造上は従来の実像式ファインダと同じレベルの構成のまま、視度と視差との双方が同時に補正される。
【００５１】
図９は、実像式ファインダの第２実施形態の、接眼部の構成を示す図である。
【００５２】
この図９には、第１の光学ブロック５０２と第２の光学ブロック５０３と、その第２の光学ブロック５０３の入射面５０３ａに固定された視野枠５０４が示されている。
【００５３】
対物レンズ（図示せず）を通過して前方から入射してきた光束Ｃ１は、第１の光学ブロック５０２にその入射面５０２ａから入射し、第１の反射面５０２ｂで下方に折り返されて、第１の光学ブロック５０２の出射面５０２ｃから下向きに出射する。第１の光学ブロック５０２から下向きに出射した光束は、対物レンズの結像面である、第２の光学ブロック５０３の入射面５０３ａに固定された視野枠５０４を通過して、その入射面５０３ａから第２の光学ブロック５０３に入射し、第２の反射面５０３ｂで側方に折り返され、さらに第３の反射面５０３ｃで上方に折り返され、さらに第４の反射面５０３ｄで後方に折り返されて、その出射面に形成された、接眼レンズとして作用する凸面５０３ｅから出射する。
【００５４】
ここで、第１の光学ブロック５０２には、フォーク状のガイド部６０３と貫通孔を有するガイド部６０４との２つのガイド部が固定されており、それらのガイド部６０３，６０４には、それぞれガイド棒６０１，６０２が貫通している。
【００５５】
さらに、この第１の光学ブロック５０２にはカムピン６０５が固定されており、このカムピン６０５は、通常撮影モードとマクロ撮影モードとを切り替える切替操作子７００に形成されたカム溝７０１に嵌入している。この切替操作子７００は、前掲のカメラ（図１，図２）における回転式のダイヤル１９に代えてカメラの上面等に備えられるスライド式の操作子である。
【００５６】
この切替操作子７００は、矢印Ｂに沿って、通常撮影モードに切り替えるとき∞側、マクロ撮影モードに切り替えるときは至近側に切り替えられる。
【００５７】
この切替操作子７００を∞側から至近側にスライドさせると第１のブロック５０２が対物レンズ（図示せず）から遠ざかる方向に移動し対物レンズと視野枠５０３との間の光学的距離が長くなって視界に対する視度が（＋）にシフトして視度が補正されるとともに光軸と視野枠５０４との位置関係が変化して視差も補正される。
【００５８】
この図９の構成によっても、簡単な構成で視度と視差の双方が同時に補正される。
【図面の簡単な説明】
【００５９】
【図１】本発明の一実施形態である実像式ファインダが組み込まれたカメラの外観を示す斜視図である。
【図２】図１のカメラの背面を示す図である。
【図３】図１、図２に示すカメラに搭載された実像式ファインダの接眼部構造を示す斜視図である。
【図４】実像式ファインダを構成する２つの光学ブロックの構造を示す図である。
【図５】実像式ファインダの側面図である。
【図６】図５と同じ実像式ファインダに、光軸から外れた光束の通り道を示した図である。
【図７】通常撮影モードにおける、無限遠点（∞）の被写体からの、各光束の視野枠の通過点（図７（Ａ））と、マクロ撮影モードにおける各光束の視野枠の通過点（図７（Ｂ））を示した図である。
【図８】視差の補正を模式的に示した図である。
【図９】実像式ファインダの第２実施形態の、接眼部の構成を示す図である。
【符号の説明】
【００６０】
１    カメラ
１９    回転式のダイヤル
１０１    ファインダ
２０１    接眼部
２０２    光学ブロック
２０２ａ    入射面
２０２ｂ    第１の反射面
２０２ｃ    第２の反射面
２０２ｄ    第３の反射面
２０２ｅ    出射面
２０３    光学ブロック
２０３ａ    入射面
２０３ｂ    第４の反射面
２０３ｃ    凸面
２０４    視野枠
３０１    対物レンズ
４０１，４０２    ガイド棒
４０３    カム部材
４０４    フォーク状の支持部材
５０２    第１の光学ブロック
５０２ａ    入射面
５０２ｂ    第１の反射面
５０２ｃ    出射面
５０３    第２の光学ブロック
５０３ａ    入射面
５０３ｂ    第２の反射面
５０３ｃ    第３の反射面
５０３ｄ    第４の反射面
５０３ｅ    凸面
５０４    視野枠
６０１，６０２    ガイド棒
６０３，６０４    ガイド部
６０５    カムピン
７００    切替操作子
７０１    カム溝
【図１】
2006276141.tif 000003
【図２】
2006276141.tif 000004
【図３】
2006276141.tif 000005
【図４】
2006276141.tif 000006
【図５】
2006276141.tif 000007
【図６】
2006276141.tif 000008
【図７】
2006276141.tif 000009
【図８】
2006276141.tif 000010
【図９】
2006276141.tif 000011